(57)【特許請求の範囲】
【請求項１】
受光した光に基づいて電気信号を発する画像撮像素子を有し、原稿に記載された画像を読み取る画像読取装置であって、
原稿が載置される原稿載置部と、
画像読み取り用の読み取り窓と、
前記原稿載置部に載置された原稿を前記画像読み取り窓に搬送する自動原稿搬送機構と、
前記自動原稿搬送機構によって搬送される原稿の搬送方向と直交する原稿の幅方向に変位可能に設けられ、前記原稿載置部に載置される原稿に接触して原稿の搬送を案内する原稿ガイドと、
前記原稿ガイドと連動して変位するとともに、前記読み取り窓に対向した位置検出面を有する位置検出可動体と、
前記画像撮像素子にて読み取られた前記位置検出面の位置に基づいて、前記画像読み取り窓に搬送される原稿の前記幅方向の寸法を検出する原稿幅検出手段とを備え、
前記位置検出可動体は、上側に配置される前記原稿ガイドから下側に配置される前記読み取り窓まで延びており、
前記位置検出可動体の前記読み取り窓に対向する部分には、前記読み取り窓の窓面に対して直交する方向に移動可能な可動部を有しており、
前記位置検出面は、前記可動部のうち前記窓面側の端部に設けられており、
さらに、前記可動部は、前記位置検出面が前記窓面に接触するように付勢されていることを特徴とする画像読取装置。
【請求項２】
前記位置検出可動体は、前記自動原稿搬送機構から前記読み取り窓に搬送される原稿の搬送経路に対して原稿の幅方向外側にずれた位置に設けられていることを特徴とする請求項１に記載の画像読取装置。
【請求項３】
前記位置検出面は、白色であることを特徴とする請求項１又は２に記載の画像読取装置。
【発明の詳細な説明】
【技術分野】
【０００１】
本発明は、画像撮像素子の検出信号に基づいて原稿に記載された画像を光学的に読み取る画像読取装置（スキャナ）に関するものである。
【背景技術】
【０００２】
画像読取装置は、ガラス等の透明な部材で構成された画像読み取り窓に載置された原稿に光を照射し、原稿で反射した光をＣＣＤ（Charge-Coupled Device）やＣＩＳ（Contact Image Sensor）等の画像撮像素子にて電気信号に変換することにより原稿に記載された文字等の画像を読み取るものである。
【０００３】
また、画像読み取り窓に原稿を載置するに当たっては、ユーザ（人間）が画像読み取り窓の上に原稿を直接、載置する方法及び画像読み取り窓とは別に設けられた原稿載置部に載置された原稿を自動原稿送り装置によって自動的に原稿読み取り窓に搬送する方法がある。
【０００４】
そして、自動的に原稿読み取り窓に搬送する方法では、原稿載置部に載置された原稿を全て画像読み取り部に搬送したか否か、つまり原稿載置部に原稿があるか否かを検出して、自動原稿送り装置の停止制御を行う必要がある。
【０００５】
そこで、例えば特許文献１に記載の発明では、揺動可能なアーム状のセンサアクチュエータの先端側が原稿載置部に載置された原稿に接触するようなセンサアクチュエータを複数個設け、これらのセンサアクチュエータが原稿に接触しているか否かに基づいて原稿載置部に原稿があるか否かを検出している。
【特許文献１】特開平１０−１５２２３０号公報
【発明の開示】
【発明が解決しようとする課題】
【０００６】
ところで、原稿に記載された画像を読み取る場合には、読み取った画像データに加えて、原稿の幅寸法等も同時に検知することが望ましい。これは、読み取った画像データを記憶するための記憶領域を確保する、又は読み取った画像データをファクシミリにて送信する場合に、読み取った画像を送信先に合わせて拡大又は縮小する必要がある等の理由からである。
【０００７】
なお、ここで「原稿の幅」とは、自動原稿送り装置による原稿の搬送方向、及び原稿の厚み方向に直交する方向の大きさをいう。
そして、上記の要望に対しては、特許文献１に準えて、原稿載置部に載置された原稿の幅方向端部に接触するようなセンサアクチュエータを複数個設け、これらのセンサアクチュエータが原稿に接触しているか否かに基づいて原稿の幅を検出する手段が考えられる。
【０００８】
しかし、この手段では、センサアクチュエータが原稿に接触しているか否か検出するスイッチ等のセンサを必要とするので、部品点数及び組み立て工数の増大を招き、画像読取装置の製造原価上昇を招いてしまう。
【０００９】
本発明は、上記点に鑑み、部品点数の増大を抑制しつつ、原稿の幅を容易に検出することができる画像読取装置を提供することを目的とする。
【課題を解決するための手段】
【００１０】
本発明は、上記目的を達成するために、請求項１に記載の発明では、受光した光に基づいて電気信号を発する画像撮像素子を有し、原稿に記載された画像を読み取る画像読取装置であって、原稿が載置される原稿載置部と、画像読み取り用の読み取り窓と、原稿載置部に載置された原稿を画像読み取り窓に搬送する自動原稿搬送機構と、自動原稿搬送機構によって搬送される原稿の搬送方向と直交する原稿の幅方向に変位可能に設けられ、原稿載置部に載置される原稿に接触して原稿の搬送を案内する原稿ガイドと、原稿ガイドと連動して変位するとともに、読み取り窓に対向した位置検出面を有する位置検出可動体と、画像撮像素子にて読み取られた位置検出面の位置に基づいて、画像読み取り窓に搬送される原稿の幅方向の寸法を検出する原稿幅検出手段とを備え、位置検出可動体は、上側に配置される原稿ガイドから下側に配置される読み取り窓まで延びており、位置検出可動体の読み取り窓に対向する部分には、読み取り窓の窓面に対して直交する方向に移動可能な可動部を有しており、位置検出面は、可動部のうち窓面側の端部に設けられており、さらに、可動部は、位置検出面が窓面に接触するように付勢されていることを特徴とする。
【００１１】
これにより、本発明では、原稿ガイドの変位と連動して変位する位置検出可動体の位置検出面を画像撮像素子を用いて検出することにより、原稿の幅を検出することとなる。
したがって、画像読取装置が、通常、備えている画像撮像素子を用いて原稿の幅を検出することになるので、部品点数の増大を抑制しつつ、原稿の幅を容易に検出することができる。
ところで、製品の製造バラツキ等により、位置検出面と画像読み取り窓の窓面との距離を位置検出可動体の変位方向において一定とすることは難しい。
このため、仮に、原稿ガイドの変位に伴って位置検出可動体と窓面との距離が小さくなるように変化する場合には、原稿ガイドの変位に伴って位置検出面と窓面との接触面圧が大きくなり、位置検出面と窓面との接触面に発生する摩擦力が大きくなるので、原稿ガイドを滑らかに変位させることができないという問題が発生する。
逆に、位置検出可動体と窓面との距離が大きくなるように変化する場合には、位置検出面と画像撮像素子との距離が大きくなるので、位置検出面を画像撮像素子を用いて正確に検出することができないという問題が発生する。
この問題に対しては、位置検出面と窓面との距離が一定となるように、各部品の寸法精度及び組み付け精度を高めれば解決することができるものの、この解決手段では、画像読取装置の製造原価上昇を招くおそれがある。
これに対して、請求項１に記載の発明では、位置検出可動体は、読み取り窓の窓面に対して直交する方向に移動可能な可動部を有しており、さらに、位置検出面は、可動部のうち窓面側の端部に設けられていることを特徴とする。
したがって、本発明では、仮に、位置検出面と窓面との距離が原稿ガイドの変位に伴って変化する場合であっても、可動部が変位することにより、位置検出面と窓面との距離の変化を吸収することができるので、位置検出面と窓面との接触面圧が大きくなること、及び位置検出面の誤検出を防止できる。
また、原稿ガイドの位置によらず、位置検出面と窓面との接触面に発生する摩擦力を略一定にすることができるので、原稿ガイドを滑らかに変位させることができる。
【００１２】
請求項２に記載の発明では、位置検出可動体は、自動原稿搬送機構から読み取り窓に搬送される原稿の搬送経路に対して原稿の幅方向外側にずれた位置に設けられていることを特徴とする。
【００１３】
これにより、本発明では、自動原稿搬送機構から読み取り窓に搬送される原稿が位置検出可動体に衝突（干渉）してしまうことを未然に防止することができるので、画像読み取り窓に向けて原稿を円滑に搬送することができる。
【００１４】
なお、ここで、原稿の幅方向とは、原稿の搬送方向、及び搬送経路を搬送される原稿の厚み方向の両方向と直交する方向をいう。
【００２０】
また、画像撮像素子は、位置検出面にて反射した光を受光して位置検出面の位置を検出するので、位置検出面を請求項４に記載の発明のごとく白色とすれば、位置検出面とそれ以外の部位とのコントラスト（明暗の差や色彩の対比）を大きくすることができるので、位置検出面の位置を確実に検出することができる。
【発明を実施するための最良の形態】
【００２１】
本実施形態は、原稿を自動的に搬送しながら原稿に記載された画像を読み取る自動搬送読取機能、及び静止載置された原稿に記載された画像を読み取る静止原稿読取機能を兼ね備えた画像読取装置に本発明を適用したもので、以下に本発明の実施形態を図面と共に説明する。
【００２２】
１．画像読取装置１の概略構成
図１は本実施形態に係る画像読取装置１の外観斜視図であり、図２は原稿カバー３を開いた状態を示す斜視図であり、図３は画像読取装置１の断面の一部を示す図である。
【００２３】
図２に示すように、原稿カバー３が揺動可能に組み付けられた本体部５には、静止原稿読取機能用の画像読取窓（以下、静止読取窓という。）７、及び自動搬送読取機能用の画像読取窓（以下、自動読取窓という。）９が設けられており、両読取窓７、９は、ガラスやアクリル等の透明なプラテン７ａ、９ａにて閉塞されている。
【００２４】
図３中、画像撮像素子１１は、原稿に照射されて反射した光を受光し、この受光した光に基づいて電気信号を発するもので、画像読取装置１は、画像撮像素子１１を介して原稿に記載された文字等の画像を電気信号に変換して画像を読み取っていく。
【００２５】
また、画像撮像素子１１は、本体部５の長手方向（図３の左右方向）に移動可能に本体部５内に組み付けられている。そして、画像撮像素子１１は、自動搬送読取機能作動時には、自動読取窓９の直下に停止配置された状態で画像を読み取り、一方、静止原稿読取機能作動時には、静止読取窓７の直下で移動しながら画像を読み込んでいく。
【００２６】
因みに、本実施形態では、画像撮像素子１１として、ＣＩＳ（Contact Image Sensor）を用いており、このＣＩＳ（画像撮像素子１１）の長手方向は、両読取窓７、９の直下において、その移動方向と直交する方向（本体部５の幅方向）に延びている。
【００２７】
また、原稿カバー３のうち静止読取窓７に対向する部位には、静止読取窓７に載置された原稿を静止読取窓７側に押さえる静止原稿押さえ１３が配設されており、この静止原稿押さえ１３は、原稿カバー３と一体的に本体部５（静止読取窓７）に対して揺動する。
【００２８】
原稿カバー３のうち自動読取窓９に対応する部位及びその近傍には、読み取り用の原稿を自動読取窓９に搬送する自動原稿搬送機構１５等を有して構成されたオートドキュメントフィーダ装置（以下、ＡＤＦ装置と記す。）が設けられている。以下、ＡＤＦ装置の詳細を説明する。
【００２９】
２．ＡＤＦ装置
図４は図３のＡ−Ａ断面図であり、図５は原稿カバー３を静止原稿押さえ１３と直交する方向から見た原稿カバー３の下面図であり、図６はＡＤＦ装置のベース部材１７の斜視図であり、図７は原稿ガイド２１の斜視図である。
【００３０】
図６に示すベース部材１７は、自動読取窓９に搬送される読み取り用の原稿が載置される原稿載置部（原稿トレイ）１９を構成するとともに、自動原稿搬送機構１５を構成する各種ローラ１５ａ〜１５ｄ（図３参照）が組み付けられる部材であり、このベース部材１７は、ネジ等の締結手段にて原稿カバー３に固定されている。
【００３１】
なお、原稿載置部１９は、図３に示すように、吸入ローラ１５ａ側が低くなるように傾斜しており、原稿載置部１９に載置された原稿は、その自重により吸入ローラ１５ａ側に移動する。
【００３２】
また、原稿載置部１９には、図６に示すように、原稿載置部１９に載置される原稿の幅方向両端側、つまり原稿の端辺のうち搬送方向と平行な部位に接触して原稿の搬送を案内する一対の原稿ガイド２１が設けられており、この一対の原稿ガイド２１は、互いに機械的に連動して原稿の幅方向に変位するように原稿載置部１９（ベース部材１７）に組み付けられている。
【００３３】
ここで、「原稿の幅方向」とは、原稿載置部１９に載置された原稿の搬送方向（図６参照）、及び原稿載置部１９に載置された原稿の厚み方向の両方向に直交する方向を言う。
そして、一対の原稿ガイド２１の一方には、図７に示すように、原稿ガイド２１と連動して変位する位置検出可動体２３が設けられており、本実施形態では、位置検出可動体２３の一部が原稿ガイド２１と一体成形されているため、位置検出可動体２３と原稿ガイド２１とは機械的に連動して変位（移動）する。
【００３４】
位置検出可動体２３は、図４に示すように、ベース部材１７を貫通して原稿ガイド２１から自動読取窓９まで延びる棒状のものであり、位置検出可動体２３のうち自動読取窓９側の端部には、自動読取窓９に対向した位置検出面２３ａが設けられている。なお、本実施形態では、位置検出面２３ａは、位置検出面２３ａにて反射された光が画像撮像素子１１に多く入射されるように白色にて構成されている。
【００３５】
また、位置検出可動体２３は、自動読取窓９に搬送される原稿が通過する搬送経路Ｌ１（図５参照）よりも原稿の幅方向外側にずれた部位に位置するように配置されているとともに、位置検出面２３ａが自動読取窓９と直交する方向に移動することができるように構成されている。
【００３６】
なお、ここで、原稿の幅方向とは、原稿の搬送方向、及び搬送経路Ｌ１における原稿の厚み方向の両方向と直交する方向をいう。
具体的には、位置検出可動体２３は、原稿ガイド２１と一体成形された角筒状の本体部２３ｂ、本体部２３ｂ内に摺動可能挿入組み付けされた可動部２３ｃ、及び可動部２３ｃを自動読取窓９側に押圧（付勢）する弾性力を作用させるバネ２３ｄから構成されており、位置検出面２３ａは可動部２３ｃのうち自動読取窓９側の端部に設けられている。
【００３７】
また、自動原稿搬送機構１５は、図３に示すように、原稿載置部１９に載置された原稿を吸引して分離する分離吸引ローラ１５ａ、分離吸引ローラ１５ａにて分離吸引された原稿を分離して自動読取窓９側に送る送りローラ１５ｂ、１５ｃ、及び画像読み取りが終了した原稿を排紙トレイ２５に排出させる排紙ローラ１５ｄ等から構成されている。
【００３８】
なお、ピンチローラ１５ｅ、１５ｆは、搬送されてきた原稿を送りローラ１５ｂ、１５ｃに押し当てるコロであり、案内面１５ｇは、原稿載置部１９から搬送されてきた原稿の搬送方向を略１８０°転向させながら自動読取窓９側に導く案内手段である。
【００３９】
また、自動読取用原稿押さえ２７は、搬送されてきた原稿を自動読取窓９側に押さえるもので、この自動読取用原稿押さえ２７のうち送りローラ１５ｃ側は、送りローラ１５ｃとピンチローラ１５ｆとの接点における接線方向と略平行となるように自動読取窓９（プラテン９ａ）に対して傾斜している。
【００４０】
このため、原稿載置部１９から搬送されてきた原稿は、自動読取用原稿押さえ２７と自動読取窓９との隙間を通過して画像が読み取られた後、排出搬送経路Ｌ２を通過して排紙トレイ２５に排出される。
【００４１】
３．画像読取装置１の電気的構成
図８は本実施形態に係る画像読取装置１の電気的構成の概略を示すブロック図である。
ＣＰＵ５１は、ＲＯＭ５３に記憶されたプログラムに従って所定の演算処理を行う処理装置であり、ＲＯＭ５３はフラッシュメモリやＥＥＰＲＯＭ等の電力の供給が停止しても記憶した内容を保持することができる記憶手段である。
【００４２】
そして、ＣＰＵ５１の入力側には、画像読み取りの開始を指示するスタートスイッチ（スタートボタン）５５、及びＡＤＦ装置（原稿載置部１９）に原稿が載置されているか否かを検出するＡＤＦ原稿有無センサ５７等が接続され、一方、出力側には、画像撮像素子１１を移動させるための画像撮像素子駆動モータ５９、及び自動原稿搬送機構１５を構成する各種ローラ１５ａ〜１５ｄを回転させるローラ駆動モータ６１等が接続されている。因みに、画像撮像素子１１の出力信号は、ＣＰＵ５１を経由してＲＡＭ６３等の記憶手段に一旦記憶される。
【００４３】
４．画像読取装置１１の作動
図９は、スタートボタン５５が押下された時から画像撮像素子１１から信号が出力されるまでの制御フロー概要の示すフローチャートであり、この制御フローは、ＣＰＵ５１にて実行される。
【００４４】
スタートボタン５５が押下されると、図９に示される制御フローが起動され、先ず、ＡＤＦ原稿有無センサ５７の検出信号に基づいて静止原稿読取機能が選択されたか、自動搬送読取機能が選択されたかが判定される（Ｓ１）。
【００４５】
ここで、ＣＰＵ５１は、ＡＤＦ原稿有無センサ５７の検出信号により原稿載置部１９に原稿が有ると判定された場合には自動搬送読取機能が選択されたものと判定し、逆に、原稿載置部１９に原稿が無いと判定された場合には静止原稿読取機能が選択されたものと判定する。
【００４６】
そして、静止原稿読取機能が選択されたと判定された場合には、画像撮像素子駆動モータ５９が駆動されて静止読取窓７上に写った画像が読み取られていく（Ｓ３）。一方、自動搬送読取機能が選択されたと判定された場合には、画像撮像素子駆動モータ５９が駆動し、画像撮像素子１１が、自動読取窓９のうち位置検出可動体２３（位置検出面２３ａ）が配設された部位に対応する箇所まで移動するとともに、その箇所にて画像が読み取られる（Ｓ５）。
【００４７】
次に、読み取られた画像データに基づいて原稿載置部１９に載置された原稿の幅寸法が、以下のようにして演算される（Ｓ７）。
すなわち、位置検出面２３ａが存在する部位では、位置検出面２３ａで反射されて画像撮像素子１１に入射される光が多いのに対して、位置検出面２３ａ以外の部位、つまり位置検出可動体２３が存在しない部位では、位置検出面２３ａ以外の部位で反射されて画像撮像素子１１に入射される光が少ない。このため、位置検出面２３ａの位置は白色となり、その他の部位は黒色となるように画像データがＲＡＭ６３に記憶される。そこで、ＣＰＵ５１は、このＲＡＭ６３に記憶された画像データ及び予め記憶された原稿ガイド２１及び位置検出可動体２３等の寸法に関する情報から原稿の幅寸法を演算する。
【００４８】
そして、原稿の幅寸法の演算処理が終了すると、ローラ駆動モータ６１が駆動されて原稿載置部１９に載置された原稿に記載された画像が連続的に読み取られていく（Ｓ９）。
５．本実施形態に係る画像読取装置１の特徴
本実施形態では、原稿ガイド２１の変位と連動して変位する位置検出可動体２３の位置検出面２３ａを画像撮像素子１１を用いて検出することにより、原稿の幅寸法を検出するので、画像読取装置１が、通常、備えている画像撮像素子１１を用いて原稿の幅寸法を検出することとなる。したがって、画像読取装置１の部品点数の増大を抑制しつつ、原稿の幅寸法を容易に検出することができる。
【００４９】
また、位置検出可動体２３は、自動原稿搬送機構１５から自動読取窓９に搬送される原稿の搬送経路Ｌ１に対して外側にずれた位置に設けられているので、自動原稿搬送機構１５から自動読取窓９に搬送される原稿が位置検出可動体２３に衝突（干渉）してしまうことを未然に防止することができる。したがって、自動読取窓９に向けて原稿を円滑に搬送することができる。
【００５０】
ところで、製品の製造バラツキ等により、位置検出面２３ａと自動読取窓９との距離を原稿の幅方向全域において一定とすることは難しい。
このため、仮に、原稿ガイド２１の変位に伴って位置検出可動体２３と自動読取窓９との距離が小さくなるように変化する場合には、原稿ガイド２１の変位に伴って位置検出面２３ａと自動読取窓９との接触面圧が大きくなり、位置検出面２３ａと自動読取窓９との接触面に発生する摩擦力が大きくなるので、原稿ガイド２１を滑らかに変位させることができないという問題が発生する。
【００５１】
逆に、位置検出可動体２３と自動読取窓９との距離が大きくなるように変化する場合には、位置検出面２３ａにて反射して画像撮像素子１１に受光される光量が減少するので、位置検出面２３ａとそれ以外の部位とのコントラスト（明暗の差や色彩の対比）が小さくなり、位置検出面２３ａを画像撮像素子１１を用いて正確に検出することができないという問題が発生する。
【００５２】
この問題に対しては、位置検出面２３ａと自動読取窓９との距離が一定となるように、各部品の寸法精度及び組み付け精度を高めれば解決することができるものの、この解決手段では、画像読取装置１の製造原価上昇を招くおそれがある。
【００５３】
これに対して、本実施形態では、位置検出可動体２３が、自動読取窓９に対して直交する方向に移動可能な可動部２３ｃのうち自動読取窓９側の端部に設けられているので、仮に、位置検出面２３ａと自動読取窓９との距離が原稿ガイド２１の変位に伴って変化する場合であっても、可動部２３ｃが変位することにより、位置検出面２３ａと自動読取窓９との距離の変化を吸収することができる。したがって、位置検出面２３ａと自動読取窓９との接触面圧が大きくなること、及び位置検出面２３ａの誤検出を防止できる。
【００５４】
また、原稿ガイド２１の位置によらず、位置検出面２３ａと自動読取窓９との接触面に発生する摩擦力を略一定にすることができるので、原稿ガイド２１を滑らかに変位させることができる。
【００５５】
また、本実施形態では、位置検出面２３ａを白色としているので、位置検出面２３ａとそれ以外の部位とのコントラスト（明暗の差や色彩の対比）を大きくすることができるので、位置検出面２３ａの位置を確実に検出することができる。
【００５６】
６．本実施形態に係る画像読取装置１と発明特定事項との対応関係
本実施形態では、自動読取窓９が特許請求の範囲に記載された読み取り窓に相当し、ＣＰＵ５１等が特許請求の範囲に記載された原稿幅検出手段に相当する。
【００５７】
（その他の実施形態）
上述の実施形態では、一対の原稿ガイド２１のうち一方の原稿ガイド２１にのみ位置検出可動体２３が設けられていたが、本発明はこれに限定されるものではなく、一対の原稿ガイド２１それぞれに設けてもよい。そして、このようにすれば、原稿の幅寸法（大きさ）をより正確に検出することができる。
【００５８】
また、上述の実施形態では、原稿ガイド２１が幅方向両端側にそれぞれ設けられていたが、本発明はこれに限定されるものではなく、幅方向一端側を固定された壁面に当て、他方側のみを可動式の原稿ガイド２１としてもよい。
【００５９】
また、上述の実施形態では、自動搬送読取機能及び静止原稿読取機能を有する画像読取装置に本発明を適用したが、本発明はこれに限定されるものではなく、自動搬送読取機能のみからなる画像読取装置、インクジェットプリンタやレーザプリンタ等の画像形成装置と一体化された画像読取装置、又はファクシミリ装置やコピー装置等にも適用することができる。
【００６０】
また、上述の実施形態では、バネ２３ｄにて可動部２３ｃを自動読取窓９側に押圧していたが、本発明はこれに限定されるものではなく、例えば、バネ２３ｄを廃止し、可動部２３ｃの自重によって可動部２３ｃが常に自動読取窓９に押し当てられるようにしてもよい。
【００６１】
また、上述の実施形態では、位置検出面２３ａを白色としたが、本発明はこれに限定されるものではなく、例えば、位置検出面２３ａ以外の部位において、反射されて画像撮像素子１１に入射される光が多くなるようにし、位置検出面２３ａを黒色として位置検出面２３ａから反射されて画像撮像素子１１へ入射される光が位置検出面２３ａ以外の部位に比べて小さくなるようにしてもよい。
【００６２】
また、上述の実施形態では、位置検出面２３ａが自動読取窓９と直交する方向に変位することができるようにしたが、本発明はこれに限定されるものではない。
また、上述の実施形態では、原稿ガイド２１と位置検出可動体２３（本体部２３ｂ）とが一体化されていたが、本発明はこれに限定されるものではなく、リンク機構や歯車機構等により原稿ガイド２１と位置検出可動体２３とが機械的に連動して変位するように構成してもよい。
【００６３】
また、上述の形態では、自動読取窓９と静止読取窓７とが独立して設けられていたが、本発明はこれに限定されるものではなく、両読取窓７、９を共用化した画像読取装置にも適用することができる。
【００６４】
また、上述の実施形態では、画像撮像素子１１としてＣＩＳを用いたが、本発明はこれに限定されるものではなく、例えばＣＣＤ（Charge-Coupled Device）を用いてもよい。
また、本発明は、特許請求の範囲に記載された発明の趣旨に合致するものであればよく、上述の実施形態に限定されるものではない。
【図面の簡単な説明】
【００６５】
【図１】本実施形態に係る画像読取装置１の外観斜視図である。
【図２】本実施形態に係る画像読取装置において、原稿カバー３を開いた状態を示す斜視図である。
【図３】本実施形態に係る画像読取装置１の断面の一部を示す図である。
【図４】図３のＡ−Ａ断面図である。
【図５】本実施形態に係る画像読取装置において、原稿カバー３を静止原稿押さえ１３と直交する方向から見た原稿カバー３の下面図である。
【図６】本実施形態に係る画像読取装置において、ＡＤＦ装置のベース部材１７の斜視図である。
【図７】本実施形態に係る画像読取装置における原稿ガイド２１の斜視図である。
【図８】本実施形態に係る画像読取装置１の電気的構成の概略を示すブロック図である。
【図９】スタートボタン５５が押下された時から画像撮像素子１１から信号が出力されるまでの制御フロー概要の示すフローチャートである。
【符号の説明】
【００６６】
１…画像読取装置、３…原稿カバー、５…本体部、７…静止読取窓、７…両読取窓、
７ａ…プラテン、９…自動読取窓、９ａ…プラテン、１１…画像撮像素子、
１３…静止原稿押さえ、１５…自動原稿搬送機構、１５ａ…分離吸引ローラ、
１５ｂ、１５ｃ…送りローラ、１５ｄ…排紙ローラ、１５ｅ、１５ｆ…ピンチローラ、
１５ｇ…案内面、１７…ベース部材、１９…原稿載置部、２１…原稿ガイド、
２３…位置検出可動体、２３ａ…位置検出面、２３ｂ…本体部、２３ｃ…可動部、
２３ｄ…バネ、２５…排紙トレイ、２７…自動読取用原稿押さえ、
５５…スタートボタン、５７…ＡＤＦ原稿有無センサ、
５９…画像撮像素子駆動モータ、６１…ローラ駆動モータ。
【図１】
0004645380.tif 000002
【図２】
0004645380.tif 000003
【図３】
0004645380.tif 000004
【図４】
0004645380.tif 000005
【図５】
0004645380.tif 000006
【図６】
0004645380.tif 000007
【図７】
0004645380.tif 000008
【図８】
0004645380.tif 000009
【図９】
0004645380.tif 000010